【手続補正書】
【提出日】平成30年10月15日(2018.10.15)
【手続補正１】
【補正対象書類名】特許請求の範囲
【補正対象項目名】全文
【補正方法】変更
【補正の内容】
【特許請求の範囲】
【請求項１】
表示装置とサーバとで構成されたシステムであって、
前記システムは、
キャラクターまたは人物の表示を行う表示部と、
ユーザの音声を検出する検出部と、
前記ユーザの端末から送信された第１メッセージを受信する通信部と、
前記検出部によって検出された前記ユーザの音声に基づいて、前記表示部に表示された前記キャラクターまたは前記人物の音声を出力する制御と、前記通信部によって前記ユーザの端末に第２メッセージを送信する制御とを行う制御部とを備え、
前記制御部は、前記端末から送信された前記第１メッセージと、前記検出部によって検出された前記ユーザの音声とに基づいて、前記端末に送信する前記第２メッセージを決定する。
【請求項２】
請求項１に記載のシステムであって、
前記制御部は、前記端末から送信された前記第１メッセージと、前記検出部によって検出された前記ユーザの音声とに基づいて、出力する前記キャラクターまたは前記人物の音声の内容を決定する。
【請求項３】
請求項１または請求項２に記載のシステムであって、
前記通信部は、第１通信部と第２通信部とを含み、
前記表示装置は、前記第１通信部を備え、
前記サーバは、前記第２通信部を備え、
前記第２通信部は、前記ユーザの端末から送信された前記第１メッセージを受信し、前記制御部によって決定された前記第２メッセージを前記端末に送信する。
【請求項４】
請求項３に記載のシステムであって、
前記第１通信部は、前記検出部によって検出された前記ユーザの音声に関するデータを前記サーバに送信し、
前記第２通信部は、前記第１通信部から送信された、前記検出部によって検出された前記ユーザの音声に関するデータを受信する。
【請求項５】
請求項１から請求項４のいずれか一項に記載のシステムであって、
前記制御部は、第１制御部と第２制御部とを含み、
前記表示装置は、前記第１制御部を備え、
前記サーバは、前記第２制御部を備え、
前記第２制御部は、前記端末から送信された前記第１メッセージと、前記検出部によって検出された前記ユーザの音声とに基づいて、前記端末に送信する前記第２メッセージを決定する。
【請求項６】
請求項５に記載のシステムであって、
前記第１制御部は、前記検出部によって検出された前記ユーザの音声に基づいて、前記表示部に表示された前記キャラクターまたは前記人物の音声を出力する制御を行う。
【請求項７】
請求項１または請求項２に記載のシステムであって、
前記制御部は、第１制御部と第２制御部とを含み、
前記通信部は、第１通信部と第２通信部とを含み、
前記表示装置は、前記第１制御部と前記第１通信部とを備え、
前記サーバは、前記第２制御部と前記第２通信部とを備え、
前記第２通信部は、前記端末から送信された前記第１メッセージを前記表示装置に送信し、
前記第１通信部は、前記第２通信部から送信された、前記端末から送信された前記第１メッセージを受信し、
前記第２制御部は、前記端末から送信された前記第１メッセージと、前記検出部によって検出された前記ユーザの音声とに基づいて、前記端末に送信する前記第２メッセージを決定し、
前記第１制御部は、前記端末から送信された前記第１メッセージと、前記検出部によって検出された前記ユーザの音声とに基づいて、出力する前記キャラクターまたは前記人物の音声の内容を決定する。
【請求項８】
請求項５に記載のシステムであって、
前記第２制御部は、前記検出部によって検出された前記ユーザの音声に基づいて、前記表示部に表示された前記キャラクターまたは前記人物の音声を出力する制御を行う。
【請求項９】
請求項１または請求項２に記載のシステムであって、
前記制御部は、第１制御部と第２制御部とを含み、
前記通信部は、第１通信部と第２通信部とを含み、
前記表示装置は、前記第１制御部と前記第１通信部とを備え、
前記サーバは、前記第２制御部と前記第２通信部とを備え、
前記第２制御部は、前記検出部によって検出された前記ユーザの音声に基づいて、前記表示部に表示された前記キャラクターまたは前記人物の音声を出力する制御を行い、
前記第２通信部は、前記第２制御部によって出力する制御が行われた、前記表示部に表示された前記キャラクターまたは前記人物の音声に関するデータを送信し、
前記第１通信部は、前記表示部に表示された前記キャラクターまたは前記人物の音声に関するデータを受信し、
前記第１制御部は、前記第１通信部によって受信した、前記表示部に表示された前記キャラクターまたは前記人物の音声に関するデータに基づく音を出力部に出力する制御を行う。
【請求項１０】
請求項１から請求項９のいずれか一項に記載のシステムであって、
前記制御部は、前記端末から送信された前記第１メッセージと、前記検出部によって検出された前記ユーザの音声とに基づいて、前記端末に送信する前記第２メッセージの話題を決定する。
【請求項１１】
請求項１から請求項１０のいずれか一項に記載のシステムであって、
前記制御部は、前記端末から送信された前記第１メッセージと、前記検出部によって検出された前記ユーザの音声とに基づいて、出力する前記キャラクターまたは前記人物の音声の内容の話題を決定する。
【請求項１２】
請求項１から請求項１１のいずれか一項に記載のシステムであって、
前記表示装置は、前記表示装置の周囲を検出する周囲検出部をさらに備え、
前記制御部は、前記周囲検出部による検出に基づいて、前記ユーザの端末に情報を送信する制御を行う。
【請求項１３】
請求項１２に記載のシステムであって、
前記情報は、前記ユーザの端末と電話を行うことに関する情報である。
【請求項１４】
請求項１から請求項１３のいずれか一項に記載のシステムであって、
前記表示装置は、
一部又は全部が透光性部材からなるケースと、
前記ケースの内部に設けられた透光性を有するスクリーンとをさらに備え、
前記表示部は、前記スクリーンに前記キャラクターまたは前記人物を投影し、前記キャラクターまたは前記人物の表示を行う。
【請求項１５】
表示装置とサーバとで構成されたシステムの表示方法であって、
キャラクターまたは人物を表示部に表示することと、
ユーザの音声を検出部によって検出することと、
前記ユーザの端末から送信された第１メッセージを通信部によって受信することと、
前記検出部によって検出された前記ユーザの音声に基づいて、前記表示部に表示された前記キャラクターまたは前記人物の音声を出力する制御と、前記通信部によって前記ユーザの端末に前記第２メッセージを送信する制御とを制御部によって行うこととを含み、
前記制御部は、前記端末から送信された前記第１メッセージと、前記検出部によって検出された前記ユーザの音声とに基づいて、前記端末に送信する前記第２メッセージを決定する。
【請求項１６】
表示装置とサーバとで構成されたシステムのコンピュータによって実行されるプログラムであって、
キャラクターまたは人物を表示部に表示することと、
ユーザの音声を検出部によって検出することと、
前記ユーザの端末から送信された第１メッセージを通信部によって受信することと、
前記検出部によって検出された前記ユーザの音声に基づいて、前記表示部に表示された前記キャラクターまたは前記人物の音声を出力する制御と、前記通信部によって前記ユーザの端末に第２メッセージを送信する制御とを制御部によって行うこととを含み、
前記制御部は、前記端末から送信された前記第１メッセージと、前記検出部によって検出された前記ユーザの音声とに基づいて、前記端末に送信する前記第２メッセージを決定する。